(57)【要約】【課題】安価で構成されると共に、表裏面表示のための札を壁面又は表示板表面に密着して配置することができる。【解決手段】表裏面に表示を有する札の薄板プレート１１がその対向する縁辺で二箇所の接続部１３を有し、表示板の壁面１０でを表示板壁面１０上に薄板プレート１１の表裏反転を可能にして固定配備するため、薄板プレート１１を固定した際に接続部１３を結ぶ直線の外側延長線上それぞれに留め具１４を備えている。更に、接続部１３と留め具１４との間を紐状の弾性体の例えばゴム紐１２で結び、ゴム紐１２の張力により薄板プレート１１を表示板壁面１０上に密着させて抑え付けている。従って、薄板プレート１１がゴム紐１２とその留め具１４とにより固定配置される簡単構成であり、ユーザは薄板プレート１１を壁面１０から引離してその表裏を容易に反転させることができる。【選択図】      図１
2004198918.tif 000002
【特許請求の範囲】
【請求項１】
表裏面に表示を有する札を表示板壁面上に前記札の表裏反転を可能にして固定配備する表示板であって、前記札が札の縁辺で距離を隔てた二箇所の接続部を有し、前記表示板がその表面で前記札を固定した際に前記接続部を結ぶ直線の外側延長線上それぞれに留め具を備え、更に、前記接続部と前記留め具との間を紐状の弾性体で結び、前記札の表裏反転を可能とすることを特徴とする表示板。
【請求項２】
請求項１において、前記弾性体は、引き延ばし及びねじれに強い紐状及び帯状並びにその組合せのうちの一つをなすゴムを材質とすることを特徴とする札の表裏反転を可能とする表示板。
【請求項３】
請求項１において、前記弾性体はばね状の金属体であり、かつ、前記接続部及び前記留め金の少なくとも一方が前記弾性体の一端を支持すると共に回転させる機構を有することを特徴とする札の表裏反転を可能とする表示板。
【請求項４】
請求項１において、前記札は長方形をなし、前記接続部は長さ方向で対向する縁辺の中央部に位置することを特徴とする札の表裏反転を可能とする表示板。
【請求項５】
請求項１において、前記札は長方形をなし、前記接続部は幅方向で対向する縁辺の中央部に位置することを特徴とする札の表裏反転を可能とする表示板。
【請求項６】
請求項１において、前記札は、同形状の複数を備え、前記接続部を結ぶ直線上に直列配置されることを特徴とする札の表裏反転を可能とする表示板。
【請求項７】
請求項１又は請求項６において、前記札は少なくとも二枚のシートから構成され、一つの前記弾性体が前記接続部を介して前記シートに挟まれ接着されることを特徴とする札の表裏反転を可能とする表示板。
【発明の詳細な説明】
【０００１】
【発明の属する技術分野】
本発明は、表裏面に表示を有する札を表示板壁面上に前記札の表裏反転を可能にして固定配備する表示板に関し、特に、安価で構成されると共に札を表示板壁面に密着して配置することができる札の表裏反転を可能とする表示板に関する。
【０００２】
【従来の技術】
製造現場では、多数の現場で多種の看板が表示板として、例えば、生産予定機種の進捗状況表示、又は製造ラインの稼働中か停止中かの表示など、特に管理のために使用されている。
【０００３】
その殆どの看板は同一の場所で表示の「有無」を表裏面で示し、他の場所に移動することがない。従って、このような看板は表示板に固定して配置し、表裏面を裏返して使用すればよい。
【０００４】
従来、この種の札の表裏反転を可能とする表示板では、例えば、図７に示されるものがある。すなわち、札７０は一方の側面７１から他方の側面７２にかけて上下にわたって開口した空間７５を有する。表示板はこの空間７５内にロッド７を通して札７０を吊るして構成される。この構成により札を取り外すことなく表示面の表示変更を簡単に行なうことができる。例えば工程札として表面に黒字、裏面に赤字により作業名を表示すれば作業中、停止中を表示することができる。
【０００５】
また、図８に示されるように、並列配置する同形状の名札を交互に逆転配置しているものもある（例えば、特許文献２参照）。
【０００６】
すなわち、複数の長方形の名札８１が、長手方向を上下とし、その側面が相互に近接するように長手方向を平行にして並列配置され、枠体８で長手方向を軸にして回転可能に取付けられている。名札８１の表裏面で在、不在を表示する。名札８１は、長手方向の一端部分で大きく切取り部８３を形成し、他端部分では小さな切取りとなっており、隣接する名札８１ａと名札８１ｂとでは切取り部８３ａと切取り部８３ｂとの位置が相互にずれている。従って、小さな切取り側の隅部８４を指先で押すことにより、隣接する名札を誤って回転させる恐れがない。
【０００７】
【特許文献１】
実開昭６２−５７２８２号公報（第１図、第２図）
【０００８】
【特許文献２】
実開平６−６８０８５号公報（図１）
【０００９】
【発明が解決しようとする課題】
上述した従来の札の表裏反転を可能とする表示板では、事業場内の限定される空間において、表示中の札の表面が壁際から距離を有しているという第一の問題点がある。
【００１０】
その理由は、上記特許文献１では、壁際でも空間を用いて自由な表裏反転が可能なので、ロッドが壁と平行して移動可能であれば札の厚さだけの距離が必要なためである。札の厚さは二つの側面の厚さとロッドを通す空間の厚さとの和であり、これより薄くできない。ロッドが固定される場合は、最低でも、ロッドが一方のコーナーにある場合のロッドの中心軸からの距離が、札の側面板の縁辺までの距離となる。
【００１１】
上記特許文献２では、枠体が移動可能としても、名札の回転機構のため、名札の厚さに枠体の厚さが加算されるからである。また、枠体が固定される場合、名札の回転軸から、名札の有する幅の半分の距離が壁面から必要である。
【００１２】
更に、第二の問題は、構造が複雑である点にある。
【００１３】
その理由は、上記特許文献１では札の構造が、また、上記特許文献２では名札の形状及び枠体の構造が、それぞれ特定されるからである。
【００１４】
本発明の課題は、このような問題点を解決し、簡単な構造で、かつ、表示中では壁面から札表面までの距離を小さくできる札の表裏反転を可能とする表示板を提供することである。
【００１５】
【課題を解決するための手段】
本発明による札の表裏反転を可能とする表示板は、札の形状を問わず、表札、プレート、カード、パネル、ボードなどと称される薄板状で、シート又はラベルのように湾曲することのない札を、表裏反転を可能に表示板の壁面に固定表示するものである。
【００１６】
本発明による札の表裏反転を可能とする表示板は、札が札の縁辺で距離を隔てた二箇所の接続部を有し、前記表示板が壁面で前記札を固定する際に前記接続部を結ぶ直線の外側延長線上それぞれに留め具を備え、更に、前記接続部と前記留め具との間を紐状の弾性体で結び、前記札の表裏反転を可能としている。
【００１７】
例えば、前記弾性体は、引き延ばし及びねじれに強い一つ又は複数の紐状もしくは帯状、又はこれらを組合せたゴムである。また、前記接続部及び前記留め金の少なくとも一方が前記弾性体の一端を支持すると共に回転させる機構を有するならば前記弾性体はばね状の細長い金属体であってもよい。
【００１８】
このような構成により、札を表示板壁面から引き離して表裏反転させることができる。また、表示板の厚さは無限に薄くできるので、札の表示中では、表示板壁面から札の厚さだけ占有されるのみである。従って、札の厚さは薄板の厚さであるため、作業上の邪魔となることがない。構造も、札と弾性体と弾性体の両端を留める留め具のみで組立て可能であり、簡単である。
【００１９】
なお、札は長方形をなし、前記接続部は長さ方向又は幅方向で対向する縁辺の中央部に位置することが望ましい。更に、札は、同形状の複数を備え、前記接続部を結ぶ直線上に直列配置されることが、見た目にも好ましい。
【００２０】
更に、札を少なくとも二枚のシートから構成し、一つの前記弾性体が前記接続部を介して前記シートに挟まれ接着されることにより、表示板が形成されることが望ましい。
【００２１】
【発明の実施の形態】
次に、本発明の実施の形態について図面を参照して説明する。図面は機能の理解を助けるため、誇張した面があり、その実施の形態については記載された説明を参照されたい。
【００２２】
図１は本発明による表示板における正面、また図２はその側面それぞれの実施の一形態を示す図である。表裏面に表示される札は、薄板状の表札、プレート、カード、パネル、ボードなどと称される表示札である。ここでは長方形を有する薄板プレート１１であるとする。
【００２３】
図示された札の表裏反転を可能とする表示板では、壁面１０の中央部に札として長方形の薄板プレート１１が長さ方向を左右にまた幅方向を上下に配置され、弾性体のゴム紐１２により固定されている。薄板プレート１１は、左右の両側縁辺の中央部にゴム紐１２の一端を接続する接続部１３を有している。接続部１３は、例えば、薄板プレート１１が二枚のシートで構成され、ゴム紐１２の一端をその間に挟み、接着することにより形成される。ゴム紐１２は、複数本の紐状ゴム、チェイン状ゴム、少なくとも一枚の帯状ゴム、又はこの組合せにより形成される。ゴム紐１２の他端は、表示板の壁面１０上で、ピン、留め金などの留め具１４により固定される。
【００２４】
この構造構成の結果、ゴム紐１２は、その張力により二つの留め具１４の間でほぼ直線状態を形成して、薄板プレート１１を表示板の壁面１０に密着させる。
【００２５】
上記説明では、ゴム紐１２を薄板プレート１１の接続部１３で固着するとしたが、薄板プレートが二枚のシートで構成され、一つのゴム紐１２を薄板プレート１１の両側に設ける留め具１４により所定位置に固定した後、薄板プレート１１の所定位置において、二枚のシートで挟み込み接着して形成することができる。この場合、接続部１３は、薄板プレート１１の縁辺でゴム紐１２が露出する箇所である。また、薄板プレート内部でのゴム紐との接着箇所は、ゴム紐による伸縮を配慮して、全面が望ましい。
【００２６】
次に、図３に図１及び図２を併せ参照して、作用について動作手順をもって説明する。
【００２７】
図３（Ａ）は、薄板プレート１１がゴム１２により表示板の壁面１０上の中央部に配置されている図２の状態から、ユーザが薄板プレート１１を引き離す手順であり、この結果、図３（Ｂ）の状態になる。図３（Ｂ）では、ユーザが薄板プレート１１の表裏を反転させる手順である。次いで、図３（Ｃ）に示されるように、反転された薄板プレート１１は、壁面１０表面に戻され、ゴム１２の張力でもとの場所に配置される。
【００２８】
次に、図４を参照して、図１に示されたとは別のゴム紐１２による留め方について説明する。
【００２９】
図示されるように、一つのゴム紐１２は、表示板の壁面１０上のゴム紐１２ａ部分と、裏面を周回するゴム紐１２ｂとで構成され、表示板の壁面１０上から裏面を周回して、薄板プレート１１の両端の接続部１３に固着される。薄板プレート１１の位置固定のため、図示されていないが、少なくとも一つの留め具が使用される。
【００３０】
次に、図５（Ａ）は図１に示されるような薄板プレート１１の単独配置の例である。図５（Ｂ）では、長方形の幅方向に対向する縁辺の中央部にゴム紐１２Ｖの接続部１３Ｖを設けて固定された薄板プレート１１Ｖが示されている。すなわち、ゴム紐１２Ｖは上下方向に直線状をなしている。
【００３１】
図５（Ｃ）では、図５（Ａ）の単体の薄板プレート１１を左右方向に接続したものである。また、図５（Ｄ）では図５（Ｂ）の単体の薄板プレート１１Ｖを上下に平行配置している。
【００３２】
ここで、例えば、次のような製造工程を実現することができる。まず、二つの薄板プレートそれぞれが二枚のシートで構成され、一つのゴム紐を二つの薄板プレートそれぞれの両側に設ける留め具により所定位置に固定する。その後、二つの薄板プレートそれぞれの所定位置において、既に上述したように、二枚のシートで挟み込み接着することにより連続した表示板を簡単な工程で形成する。
【００３３】
また、図６で示されるように、表示板の壁面１０Ａに配置される薄板プレート１１Ａは長方形に限定されず、どのような形状でもよい。更に、ゴム紐１２Ａとの接続部１３Ａ及び留め具１４Ａの位置も左右又は上下の方向に限定されることはない。
【００３４】
また、上記説明では、弾性体としてゴム紐を取上げたが、細長の金属性ばねでもよく、その場合には、その少なくとも一方の端部で長さ方向又は伸縮方向の軸を中心として回転する周知の結合構造を有することが望ましい。
【００３５】
このように、上記説明では、図面を参照しているが、図面上での変更は上記機能を満たす限り自由であり、上記説明が本発明を限定するものではない。
【００３６】
【発明の効果】
以上説明したように本発明によれば、表裏反転される薄板プレートに代表された表示のための札が、その両縁辺の接続部で、壁面の留め具により固定されたゴム紐に代表された弾性体を接続しているので、表示中の表示板表面は壁面からほぼ表示札の厚さまでの距離であり、作業場所の占有面積を妨げることが少ないという効果を得ることができる。
【００３７】
更に、札の構造、並びに、壁面上の札及び弾性体による表示板の構成は簡単なので、製造上において原価の低減を図ることができる。
【図面の簡単な説明】
【図１】本発明による表示板における正面の実施の一形態を示す図である。
【図２】図１の表示板における側面の実施の一形態を示す図である。
【図３】図２に示される表示札の反転手順における実施の一形態を示す図である。
【図４】図１とは別の本発明の表示板における平面の実施の一形態を示す図である。
【図５】本発明により実現する表示板の正面における実施の各種形態を示す図である。
【図６】図１から図５までとは異なる本発明による表示板における正面の実施の一形態を示す図である。
【図７】従来の一例を示す斜視図である。
【図８】図７と異なる従来の一例を示す正面図である。
【符号の説明】
１０、１０Ａ    表示板
１１、１１Ａ、１１Ｖ    薄板プレート（札）
１２、１２Ａ、１２ａ、１２ｂ、１２Ｖ    ゴム紐（弾性体）
１３、１３Ａ、１３Ｖ    接続部
１４、１４Ａ、１４Ｖ    留め具
【図１】
2004198918.tif 000003
【図２】
2004198918.tif 000004
【図３】
2004198918.tif 000005
【図４】
2004198918.tif 000006
【図５】
2004198918.tif 000007
【図６】
2004198918.tif 000008
【図７】
2004198918.tif 000009
【図８】
2004198918.tif 000010